(57)【要約】【課題】  ＲＦ−ＩＤタグが内蔵された記録媒体への電子情報の書き込みエラーを低減させ、スループットを向上させることが可能な記録装置を、安価に提供する。【解決手段】  記録媒体への印刷と、該記録媒体に内蔵されたＲＦ−ＩＤタグへの電子情報の書き込みとを行う記録装置１０１であって、前記記録媒体の搬送方向に沿って配置された複数のＲＦ−ＩＤ通信用アンテナ３０３Ａ〜３０３Ｄと、前記複数のＲＦ−ＩＤ通信用アンテナのいずれかに接続を切り替える切替回路５１３と、切替回路５１３により接続が切り替えられたＲＦ−ＩＤ通信用アンテナを介して、前記ＲＦ−ＩＤタグに、対応する電子情報の書き込みを行うＲＦ−ＩＤリーダ／ライタ３０７とを備える。【選択図】  図５
2010146203.tif 000002
【特許請求の範囲】
【請求項１】
記録媒体への印刷と、該記録媒体に内蔵されたＲＦ−ＩＤタグへの電子情報の書き込みとを行う記録装置であって、
前記記録媒体の搬送方向に沿って配置された複数のアンテナと、
前記複数のアンテナのいずれかに接続を切り替える切り替え手段と、
前記切り替え手段により接続が切り替えられたアンテナを介して、前記ＲＦ−ＩＤタグに、対応する電子情報の書き込みを行う書き込み手段と
を備えることを特徴とする記録装置。
【請求項２】
前記切り替え手段は、前記記録媒体が搬送されている状態において、
前記複数のアンテナのうち、通信範囲内に、電子情報の書き込みが行われていないＲＦ−ＩＤタグが存在しているアンテナに、接続を切り替えることを特徴とする請求項１に記載の記録装置。
【請求項３】
前記切り替え手段は、前記記録媒体が搬送されている状態において、
前記複数のアンテナそれぞれに対して、順次、通信範囲内に、電子情報の書き込みが行われていないＲＦ−ＩＤタグが存在しているか否かを確認し、確認の結果、該ＲＦ−ＩＤタグが存在しているアンテナがあった場合に、そのアンテナに接続を切り替えることを特徴とする請求項１に記載の記録装置。
【請求項４】
前記切り替え手段は、前記記録媒体が、前記複数のアンテナそれぞれに対向する位置に停止した状態において、該複数のアンテナを、順次、切り替えることを特徴とする請求項１に記載の記録装置。
【請求項５】
記録媒体への印刷と、該記録媒体に内蔵されたＲＦ−ＩＤタグへの電子情報の書き込みとを行う記録装置における制御方法であって、
前記記録媒体の搬送方向に沿って配置された複数のアンテナのいずれかに接続を切り替える切り替え工程と、
前記切り替え工程において接続が切り替えられたアンテナを介して、前記ＲＦ−ＩＤタグに、対応する電子情報の書き込みを行う書き込み工程と
を備えることを特徴とする記録装置の制御方法。
【請求項６】
請求項５に記載の制御方法をコンピュータによって実行させるための制御プログラムを格納したコンピュータ読取可能な記憶媒体。
【請求項７】
請求項５に記載の制御方法をコンピュータによって実行させるための制御プログラム。
【発明の詳細な説明】
【技術分野】
【０００１】
本発明は、記録装置における制御技術に関するものであり、特にＲＦ−ＩＤタグを内蔵する記録媒体に対する電子情報の書き込み機能を備える記録装置における制御技術に関するものである。
【背景技術】
【０００２】
近年、非接触で電子情報の送受信が可能なＲＦ−ＩＤ（Ｒａｄｉｏ  Ｆｒｅｑｕｅｎｃｙ  Ｉｄｅｎｔｉｆｉｃａｔｉｏｎ）を用いたシステムが普及しつつある。ＲＦ−ＩＤシステムは、主に、電子情報を記憶するための不揮発性メモリを搭載したＩＣチップとＩＣチップに電気的に接続されたアンテナとを備えるＲＦ−ＩＤタグと、該ＲＦ−ＩＤタグをコントロールするＲＦ−ＩＤリーダ／ライタとから構成されている。
【０００３】
当該システムの特徴は、電子情報の新規書き込みや記憶が可能であることに加え、複数のＲＦ−ＩＤタグと同時に通信を行うことができ、かつ障害物等の影響を受けにくい点にある。このため、例えば、ＲＦ−ＩＤタグを商品等に搭載させることで、当該商品の流通を管理する流通管理システム等を構築することができる。
【０００４】
ここで、ＲＦ−ＩＤタグを商品等に搭載するための搭載方法としては様々な方法がある。その中でも、ＲＦ−ＩＤタグを商品情報等が印刷されるラベル（記録媒体）に内蔵させ、該ラベルを商品等に貼り付けることで、ＲＦ−ＩＤタグを商品に搭載する方法が一般的に知られている。
【０００５】
通常、このようなラベルを用いて商品管理システム等を構築するにあたっては、予め該ラベル表面への印刷処理とＲＦ−ＩＤタグへの電子情報の書き込み処理とを行っておく必要がある。しかし、これらの処理を別々の装置を用いて分担して行ったのでは手間がかかる。このため、最近では、記録装置にＲＦ−ＩＤリーダ／ライタを搭載させ、ラベル表面への印刷処理と、ＲＦ−ＩＤタグへの電子情報の書き込み処理とを一括して行うことができるＲＦ−ＩＤタグ書き込み機能付きの記録装置が普及しつつある。
【０００６】
更に、このような記録装置の中には、装置全体のスループットを向上させるべく、ラベル表面の印刷処理とＲＦ−ＩＤタグへの電子情報の書き込み処理とを、それぞれ搬送を停止することなく、連続して行うことが可能な記録装置も登場してきている。
【０００７】
しかしながら、通常、搬送させた状態でＲＦ−ＩＤタグへの電子情報の書き込み処理を行おうとすると、ＲＦ−ＩＤリーダ／ライタとＲＦ−ＩＤタグとの間の通信時間が制限されるため、書き込みエラーが発生しやすくなる。ここで、ＲＦ−ＩＤタグ書き込み機能付きの記録装置では、一旦書き込みエラーが発生すると、搬送を停止させ、通信位置まで戻したうえで書き込み処理をリトライするよう動作することとなる。このため、書き込みエラーが頻発すると、記録装置全体のスループットが低下するという問題がある。
【０００８】
このような問題を解決するため、例えば、下記特許文献１では、ＲＦ−ＩＤリーダ／ライタとＲＦ−ＩＤ通信用アンテナとを複数配し、全体の通信時間を増やすことで、書き込みエラーの発生を低減させる構成が提案されている。
【０００９】
当該構成を用いれば、仮に、１つのＲＦ−ＩＤリーダ／ライタとＲＦ−ＩＤ通信用アンテナとを用いた、ＲＦ−ＩＤタグへの書き込み処理が失敗したとしても、搬送を停止させることなく書き込み処理のリトライが可能となる。つまり、次のＲＦ−ＩＤリーダ／ライタとＲＦ−ＩＤ通信用アンテナが、当該ＲＦ−ＩＤタグへの書き込み処理を行うことで、最初の書き込みエラーをカバーすることができる。この結果、記録装置全体としての書き込みエラーを低減させることができ、スループットの向上を実現することが可能となる。
【特許文献１】特開２００４−８２４３２号公報
【発明の開示】
【発明が解決しようとする課題】
【００１０】
しかしながら、上記特許文献１のように、複数のＲＦ−ＩＤリーダ／ライタとＲＦ−ＩＤ通信用アンテナとを配する構成とすると、コストがかかるうえ、装置が大型化してしまうという問題がある。
【００１１】
本発明は、上記課題に鑑みてなされたものであり、ＲＦ−ＩＤタグが内蔵された記録媒体への電子情報の書き込みが可能な記録装置において、全体のスループットを向上させることが可能な構成を、安価に提供することを目的とする。
【課題を解決するための手段】
【００１２】
上記の目的を達成するために本発明に係る記録装置は以下のような構成を備える。即ち、
記録媒体への印刷と、該記録媒体に内蔵されたＲＦ−ＩＤタグへの電子情報の書き込みとを行う記録装置であって、
前記記録媒体の搬送方向に沿って配置された複数のアンテナと、
前記複数のアンテナのいずれかに接続を切り替える切り替え手段と、
前記切り替え手段により接続が切り替えられたアンテナを介して、前記ＲＦ−ＩＤタグに、対応する電子情報の書き込みを行う書き込み手段とを備える。
【発明の効果】
【００１３】
本発明によれば、ＲＦ−ＩＤタグが内蔵された記録媒体への電子情報の書き込みが可能な記録装置において、全体のスループットを向上させることが可能な構成を、安価に提供することが可能となる。
【発明を実施するための最良の形態】
【００１４】
以下、添付図面を参照して本発明の好適な実施形態について、具体的かつ詳細に説明する。なお、以下に説明する実施形態では、インクジェット方式に従うフルライン記録ヘッドを用いた記録装置を備える記録システムを例に挙げて説明する。
【００１５】
なお、本明細書において、「印刷」とは、文字、図形等有意の情報を形成する場合のみならず、また人間が視覚で知覚し得るように顕在化したものであるか否かを問わず、広く記録媒体表面に画像、模様、パターン等を形成することを指すものとする。
【００１６】
また、「記録媒体」とは、一般的な記録装置で用いられる紙のみならず、広く、布、プラスチック・フィルム、金属板、ガラス、セラミックス、木材、皮革等、インクを受容可能なものも含むものとする。
【００１７】
さらに、「インク」（「液体インク」と言う場合もある）とは、上記「印刷」の定義と同様広く解釈されるべきものである。つまり、記録媒体上に付与されることによって、画像、模様、パターン等の形成または記録媒体の加工、或いはインクの処理（例えば記録媒体に付与されるインク中の色剤の凝固または不溶化）に供され得る液体を表すものとする。
【００１８】
［第１の実施形態］
＜記録システムの構成＞
図１は本発明の第１の実施形態にかかるインクジェット方式に従うフルライン記録ヘッドを用いたカラー記録装置１０１（以下、記録装置という）と、ホストコンピュータ１００（以下、ホストという）とを備える記録システムの構成図である。
【００１９】
図１に示すように、記録装置１０１とホスト１００とは、プリンタケーブル１０７で接続されており、ホスト１００にて処理された各種データは記録コマンドとして送信され、記録装置１０１にて印刷処理または書き込み処理されるよう構成されている。
【００２０】
記録装置１０１は、その外郭として、後述のフルライン記録ヘッド（以下、記録ヘッドという）やＲＦ−ＩＤ通信用アンテナ、及び搬送部を覆うための上部カバー１０３を備える。また、記録ヘッドに供給される記録剤としての液体インクを貯蓄するタンク部を覆うための前カバー１０４を備える。また、記録媒体（ＲＦ−ＩＤタグが内蔵されたラベル）が帯状の台紙の長手方向に複数仮着された連続ラベル紙（後述）を記録部１０８に給送する給紙部１０２を備える。更に、記録部１０８から排出される連続ラベル紙を切り取るカッター部１０９を備える。
【００２１】
なお、図１において、１０５は記録装置１０１の電源スイッチ、１０６は記録装置１０１に操作環境の設定を行うための入力部や記録装置のエラー発生状況をユーザに知らせるための表示部等を備えた操作パネルである。操作パネルは、ＬＥＤ１１０、ＬＣＤ１１１、ボタン１１２から構成される。
【００２２】
＜連続ラベル紙の構成＞
図２（ａ）は記録装置１０１が処理対象とする記録媒体（ＲＦ−ＩＤタグが内蔵されたラベル）が台紙の長手方向に複数仮着された連続ラベル紙２００の模式図である。
【００２３】
連続ラベル紙２００は、図２（ｂ）に示すように、裏面が粘着加工されたラベル２０１とそのラベル２０１を固定するための台紙２０６とからなり、ラベル２０１には、ＲＦ−ＩＤタグ２０５が内蔵されている（２０４はＲＦ−ＩＤタグを覆うフィルムである）。ＲＦ−ＩＤタグ２０５は書き込まれる電子情報を記憶するための不揮発性メモリを搭載したＩＣチップ２０３とループアンテナ２０２とから構成されている。
【００２４】
ＲＦ−ＩＤタグ２０５は電源を持たず、記録装置１０１に配設される後述のＲＦ−ＩＤ通信用アンテナが発生する電波を利用して電力を創成する。ＲＦ−ＩＤタグ２０５では、これを内部電源としてＲＦ−ＩＤ通信用アンテナから送信される電子情報をＩＣチップ２０３に書き込む。
【００２５】
＜記録装置のハードウェア構成＞
次に記録装置１０１のハードウェア構成について、図３、図４を用いて説明する。図３は、図１に示した記録装置１０１の概略構成を示す断面図であり、図４は図１に示した記録装置１０１に配された記録ヘッド及びＲＦ−ＩＤ通信用アンテナを説明するための斜視図である。
【００２６】
記録装置１０１には最大６色の異なるインクを用いて印刷することができるように６つの記録ヘッドが備えられている。そして、図３及び図４に示されているように、連続ラベル紙２００の搬送方向の上流方向から下流方向に向けて、以下の順に配されている。
・ブラックインクを吐出する記録ヘッド３０６Ｋ
・シアンインクを吐出する記録ヘッド３０６Ｃ
・淡シアンインクを吐出する記録ヘッド３０６ＬＣ
・マゼンタインクを吐出する記録ヘッド３０６Ｍ
・淡マゼンタインクを吐出する記録ヘッド３０６ＬＭ
・イエロインクを吐出する記録ヘッド３０６Ｙ
なお、以下の流用においてこれら６つの記録ヘッドを総称して言及するときには参照番号３０６を用いるものとする。
【００２７】
さらに、記録ヘッド３０６の下側には、給紙部１０２にセットされた連続ラベル紙２００を搬送する搬送部３０２が備えられている。この搬送部３０２にはラベル２０１の搬送位置を管理するＴＯＦセンサ３０４が取り付けられている。また、ラベル２０１に内蔵されているＲＦ−ＩＤタグ２０５への書き込み処理を行うＲＦ−ＩＤリーダ／ライタ３０７と、ＲＦ−ＩＤリーダ／ライタ３０７との接続を切り替えて使用するＲＦ−ＩＤ通信用アンテナ３０３Ａ〜３０３Ｄとが取り付けられている。
【００２８】
図３に示すように、搬送部３０２が、給紙部１０２にセットされた連続ラベル紙２００に仮着されたラベル２０１を、記録ヘッド３０６により印刷処理を行う印刷位置に向けて搬送すると、ＴＯＦセンサ３０４では、その位置を検出する。
【００２９】
また、ＲＦ−ＩＤ通信用アンテナ３０３Ａ〜３０３Ｄを介して書き込み処理を行う通信位置に搬送すると、ＲＦ−ＩＤリーダ／ライタ３０７では、後述の処理フローに従って、ＲＦ−ＩＤタグ２０５への電子情報の書き込みを行う。
【００３０】
また、ラベル２０１が印刷位置に達すると６つの記録ヘッド３０６Ｋ、３０６Ｃ、３０６ＬＣ、３０６Ｍ、３０６ＬＭ、３０６Ｙによってインクが吐出され、ラベル２０１上に画像が印刷され、最終的にカッター部１０９にて搬出される。カッター部１０９ではホスト１００から設定されている動作設定により、印刷済みのラベル２０１のカットを行う。
【００３１】
搬送部３０２の下には、各記録ヘッド３０６Ｋ、３０６Ｃ、３０６ＬＣ、３０６Ｍ、３０６ＬＭ、３０６Ｙに供給される専用のインクを貯蓄するタンク部３０１が着脱自在に固定されている。
【００３２】
＜記録装置の機能構成＞
次に記録装置１０１の機能構成について説明する。図５は記録装置１０１の制御構成を示すブロック図である。
【００３３】
図５において、５０１は記録装置１０１全体を制御するメインコントローラであり、ＣＰＵ５０１ａを内蔵し、後述の記録コマンドを記憶するための記憶制御機能、データ制御機能及び印刷・書き込み動作に必要な種々の設定のための設定制御機能等を有する。メインコントローラ５０１はインタフェース（不図示）を介してホスト１００に接続され、互いに信号の授受を行う。
【００３４】
また、５０２はメインコントローラ５０１に接続され、制御プログラムなどを格納するＲＯＭであり、それらのプログラムに従いメインコントローラ５０１はＲＡＭ５１２を作業領域として使用して動作する。
【００３５】
また、ＲＡＭ５１２にはホスト１００から転送されＲＦ−ＩＤタグ２０５に書き込む電子情報が一時的に格納される。メインコントローラ５０１に接続されたＲＦ−ＩＤリーダ／ライタ３０７は、ＲＦ−ＩＤ通信用アンテナ３０３Ａ〜３０３Ｄのいずれかを介して、ＲＡＭ５１２に格納された電子情報をＲＦ−ＩＤタグ２０５に書き込む。ＲＦ−ＩＤリーダ／ライタ３０７が書き込みに使用するＲＦ−ＩＤ通信用アンテナはＲＦ−ＩＤ通信用アンテナ切替回路５１３を使用して切り替えられる。
【００３６】
５０６はホスト１００から送信されてきた画像データを格納するイメージバッファメモリであり、５０６Ｋはブラック成分の画像データを一時的に格納するブラックイメージバッファメモリである。同様に５０６Ｃ、５０６ＬＣ、５０６Ｍ、５０６ＬＭ、５０６Ｙはシアン成分、マゼンタ成分、淡マゼンタ成分、シアン成分、淡シアン成分、イエロ成分の画像データを一時的に格納するイメージバッファメモリである。
【００３７】
５０３は記録ヘッド３０６Ｋ、３０６Ｃ、３０６ＬＣ、３０６Ｍ、３０６ＬＭ、３０６Ｙに内蔵される発熱体（不図示）を駆動させるヘッド駆動回路である。メインコントローラ５０１に接続されたドライバコントローラ５０７が、イメージバッファメモリ５０６に格納された、各色成分のビットマップ形式で記録された画像データに従ってヘッド駆動回路５０３を制御することで画像を印刷する。
【００３８】
５０４Ｄは搬送部３０２に設けられたフィードモータ５０４を駆動するモータドライバ、５１０は給紙部１０２のロールユニットを駆動させるモータ５０５を駆動する駆動回路である。また、５０９はカッター部１０９を駆動させるモータ５０８を駆動する駆動回路である。これらは、いずれもメインコントローラ５０１によって制御される。
【００３９】
また、５１１は前述したＴＯＦセンサ３０４を含む種々のセンサを総称したセンサ回路である。
【００４０】
＜制御コマンドの構造＞
図６はホスト１００から送信される種々の制御コマンドの構造を示した図である。図６に示すように、全ての制御コマンドは、その制御コマンドの先頭にコマンドの種類を識別する識別コードが配置され、その識別コードに続いて、そのコマンドに関する付帯的な指示を設定するオペランドが続く。なお、コマンドの種類によっては、オペランドがなく、識別コードのみで構成される場合もある。
【００４１】
制御コマンドとしては、記録媒体、例えば、連続ラベル紙２００のサイズ等を設定する用紙設定コマンド６０１、画像データの基準となる設定が存在するフォーマットコマンド６０２がある。また、記録装置１０１本体の動作設定をする記録装置動作設定コマンド６１２、文字、画像、ＲＦ−ＩＤタグ夫々の詳細情報を設定するデータコマンド６０３、６０４、６０５がある。更に、画像データの終了を示しジョブの開始を指示するジョブ開始コマンド６１０がある。
【００４２】
それらのコマンドは、記録コマンド転送例６１１に示されるような記録コマンドとしてホスト１００から記録装置１０１に出力される。
【００４３】
なお、ＲＦ−ＩＤタグ２０５のＩＣチップ２０３の種類は用紙設定コマンド６０１のＩＣチップタイプオペランド６０６に、ＲＦ−ＩＤタグサイズはＲＦ−ＩＤタグ取付位置オペランド６０７に設定される。
【００４４】
また、記録装置１０１の給紙モードは記録装置動作設定コマンド６１２の給紙モードオペランド６１３に設定される。また、記録装置１０１の搬送速度は搬送速度オペランド６１４に設定される。更に、記録装置１０１のＲＦ−ＩＤタグ通信開始位置の設定はＲＦ−ＩＤタグ通信開始位置オペランド６１５に設定される。
【００４５】
ＲＦ−ＩＤタグ通信開始位置オペランドは、ＲＦ−ＩＤタグ２０５を内蔵する記録媒体を検出してから、ＲＦ−ＩＤタグ２０５との通信を開始するまでの搬送距離を設定するオペランドとなる。ＩＣチップ２０３への書き込みデータ量はＲＦ−ＩＤデータコマンド６０５のデータ長オペランド６０８に設定され、書き込む電子情報はデータオペランド６０９に設定される。
【００４６】
＜印刷処理及び書き込み処理の流れ＞
図７は記録装置１０１における印刷処理及び書き込み処理の流れを示すフローチャートである。
【００４７】
なお、図７に示す印刷処理及び書き込み処理は、記録装置１０１のメインコントローラ５０１のＣＰＵ５０１ａが、例えば、ＲＯＭ５０２に格納されたアプリケーションソフトを実行することにより実現される。
【００４８】
印刷枚数や用紙サイズ、ＲＦ−ＩＤタグ通信開始位置、ＩＣチップ２０３の種類などの各種パラメータと画像データ、及びＩＣチップ２０３に書き込む電子情報は、記録コマンドとして共にホスト１００から記録装置１０１に送信される。
【００４９】
さて、当該アプリケーションソフトが起動されると、ステップＳ７０１において、ホスト１００から送信される記録コマンドを受信し、画像データはイメージバッファメモリ５０６Ｋ〜５０６Ｙに、また、電子情報はＲＡＭ５１２に記憶される。
【００５０】
ステップＳ７０１における受信が終了すると、ステップＳ７０２では、連続ラベル紙２００の搬送を開始する。
【００５１】
ステップＳ７０２において連続ラベル紙２００の搬送が開始されると、ラベル２０１への印刷処理と、ＲＦ−ＩＤタグ２０５への電子情報の書き込み処理とは、それぞれ並行して行われる。
【００５２】
ステップＳ７０３では、ステップＳ７０１において受信した全ての画像データをラベル２０１に印刷処理したか否かを判定する。
【００５３】
まだ、印刷処理していない画像データがあると判定した場合には、ステップＳ７０４へ進み、ラベル２０１への印刷処理を行う。ここでいうラベル２０１への印刷処理とは、印刷位置（各記録ヘッドの直下）に達したときに、各記録ヘッド３０６Ｋ、３０６Ｃ、３０６ＬＣ、３０６Ｍ、３０６ＬＭ、３０６Ｙによってインクの吐出を行う処理である。
【００５４】
一方、ステップＳ７０５では、ステップＳ７０１において受信した全ての電子情報についてＲＦ−ＩＤタグ２０５への書き込み処理をしたか否かを判定する。
【００５５】
まだ、書き込み処理をしていない電子情報があると判定した場合には、ステップＳ７０６に進む。ステップＳ７０６では、ステップＳ７０７〜Ｓ７１０に示す確認処理（いずれのＲＦ−ＩＤ通信用アンテナを介して書き込みを行うべきかを確認するための処理）を、全てのＲＦ−ＩＤ通信用アンテナについて行ったか否かを判定する。
【００５６】
確認処理を行っていないＲＦ−ＩＤ通信用アンテナがあると判定された場合には、ステップＳ７０７に進み、確認処理を行っていないＲＦ−ＩＤ通信用アンテナを選択する。
【００５７】
ステップＳ７０８では、選択したＲＦ−ＩＤ通信用アンテナについて、その通信範囲内にＲＦ−ＩＤタグが存在するか否かを判定する。ステップＳ７０８において、ＲＦ−ＩＤタグが存在しないと判定された場合には、ステップＳ７０６に戻る。
【００５８】
一方、ステップＳ７０８において、ＲＦ−ＩＤタグが存在すると判定された場合には、ステップＳ７０９に進む。ステップＳ７０９では、通信範囲内に存在するＲＦ−ＩＤタグに対する電子情報の書き込み処理が既に正常終了しているか否かを判定する。ステップＳ７０９において、電子情報の書き込み処理が既に正常終了していると判定された場合には、ステップＳ７０６に戻る。
【００５９】
一方、ステップＳ７０９において、電子情報の書き込み処理がまだ正常終了していないと判定された場合には、ステップＳ７１０に進む。ステップＳ７１０では、ＲＦ−ＩＤリーダ／ライタ３０７が現在使用中であるか否かを判定する。ＲＦ−ＩＤリーダ／ライタ３０７が使用中であると判定された場合には、ステップＳ７０６に戻る。
【００６０】
一方、ステップＳ７１０において、ＲＦ−ＩＤリーダ／ライタ３０７が現在使用中でないと判定された場合には、ステップＳ７１１に進み、選択したＲＦ−ＩＤ通信用アンテナに接続するようＲＦ−ＩＤ通信用アンテナ切替回路５１３が切り替えを行う。
【００６１】
更に、ステップＳ７１２では、切り替えたＲＦ−ＩＤ通信用アンテナを介して、その通信範囲内にあるＲＦ−ＩＤタグ２０５に対して、対応する電子情報の書き込み処理を行う。
【００６２】
ステップＳ７１３では、ＲＦ−ＩＤタグ２０５への書き込み処理が正常終了したか否かを判定する。書き込み処理が正常終了したと判定された場合には、ステップＳ７１４に進み、当該電子情報のＲＦ−ＩＤタグ２０５への書き込み処理が正常終了した旨の情報を保存する。
【００６３】
一方、ステップＳ７１３において、書き込み処理が正常終了していないと判定された場合には、ステップＳ７１５に進み、当該電子情報のＲＦ−ＩＤタグ２０５への書き込み処理が未終了状態である旨の情報を保存する。
【００６４】
ステップＳ７１４またはステップＳ７１５における処理が終了すると、ステップＳ７０６に戻る。ステップＳ７０６において、ステップＳ７０７〜Ｓ７１０に示す確認処理を、全てのＲＦ−ＩＤ通信用アンテナに対して行ったと判定された場合には、ステップＳ７０５に戻る。
【００６５】
ステップＳ７０５において、全ての電子情報についてＲＦ−ＩＤタグ２０５への書き込み処理が完了したと判定された場合には、ステップＳ７１６に進む。
【００６６】
また、並行して行われているラベルへの印刷処理が、ステップＳ７０３において全て完了したと判定された場合には、ステップＳ７１６に進む。
【００６７】
全ての電子情報についてのＲＦ−ＩＤタグ２０５への書き込み処理及び、全ての画像データについてのラベルへの印刷処理が完了した場合には、ステップＳ７１６において、ラベルの排出処理が行われる。
【００６８】
ラベルの排出処理が完了すると、ステップＳ７１７において、連続ラベル紙２００の搬送を停止し、印刷処理及び書き込み処理を終了する。
【００６９】
このように、本実施形態では、ＲＦ−ＩＤ通信用アンテナを搬送方向に複数配置し、ステップＳ７０７〜Ｓ７１０に示す確認処理の結果に基づいて、ＲＦ−ＩＤタグへの書き込みに適したＲＦ−ＩＤ通信用アンテナに切り替えて、書き込み処理を行う構成とした。
【００７０】
これにより、１のＲＦ−ＩＤ通信用アンテナにおいて、書き込み処理を失敗した場合でも、該ＲＦ−ＩＤ通信用アンテナよりも下流側に配置されたＲＦ−ＩＤ通信用アンテナで、再度、書き込み処理を行うことが可能となる。
【００７１】
この結果、連続ラベル紙２００の搬送を停止することなく書き込み処理を行った場合でも、最終的に書き込み処理に失敗する回数を減らすことが可能となり、記録装置全体のスループットを向上させることができる。
【００７２】
また、本実施形態では、１つのＲＦ−ＩＤリーダ／ライタ３０７に対して、複数のＲＦ−ＩＤ通信用アンテナを切り替えて接続する構成としているため、複数のＲＦ−ＩＤリーダ／ライタを配する場合と比べ、記録装置を安価に提供することが可能となる。
【００７３】
＜印刷処理及び書き込み処理の実施例１（通信が正常な場合の実施例）＞
続いて、図７に示す印刷処理及び書き込み処理の実施例について図８及び図９を用いて説明する。図８及び図９は、ＲＦ−ＩＤタグとの通信状況が良好で書き込みエラーが発生していない場合の印刷処理及び書き込み処理の実施例である。なお、図８及び図９に示す印刷処理及び書き込み処理は、ラベル４枚分の画像データ及び電子情報を受信した場合を示している。
【００７４】
記録装置１０１は、ステップＳ７０１において記録コマンドを受信すると、ステップＳ７０２に進み、連続ラベル紙２００の搬送を開始する。連続ラベル紙２００の搬送は、ステップＳ７０３において受信した記録コマンドに含まれる全ての画像データについての印刷処理が終了したと判断され、かつステップＳ７０５において全ての電子情報についての書き込み処理が終了したと判断されるまで行われる。
【００７５】
このため、連続ラベル紙２００の搬送中は、ＲＦ−ＩＤ通信用アンテナによる確認処理及びＲＦ−ＩＤタグへの書き込み処理（ステップＳ７０７〜７１５）が繰り返されることとなる。
【００７６】
ステップＳ７０７〜ステップＳ７１０の確認処理の実行中に、図８（ａ）のように１番目のＲＦ−ＩＤタグがＲＦ−ＩＤ通信用アンテナ３０３Ａの通信範囲内に入ったとする。
【００７７】
この時点で、ステップＳ７０６では、全てのＲＦ−ＩＤ通信用アンテナについての確認処理が終わっていないと判定されるため、ステップＳ７０７に進む。ステップＳ７０７では、ＲＦ−ＩＤ通信用アンテナ３０３Ａが選択され、以降、当該ＲＦ−ＩＤ通信用アンテナについての確認処理が行われる。
【００７８】
ステップＳ７０８では、ＲＦ−ＩＤ通信用アンテナ３０３Ａの通信範囲（８０１）内にＲＦ−ＩＤタグが存在するか否かを確認する。
【００７９】
図８（ａ）では、１番目のＲＦ−ＩＤタグが通信範囲（８０１）内に存在するため、ステップＳ７０９へ進む。ステップＳ７０９では、通信範囲（８０１）内にあるＲＦ−ＩＤタグへの電子情報の書き込み処理が既に正常終了しているか否かを判断する。１番目のＲＦ−ＩＤタグに対しては、まだ電子情報の書き込み処理が行われていないため、ステップＳ７１０へ進み、ＲＦ−ＩＤリーダ／ライタ３０７が使用中であるか否かを確認する。
【００８０】
ここでは、ＲＦ−ＩＤリーダ／ライタ３０７は未使用状態にあるため、ステップＳ７１１へ進み、ＲＦ−ＩＤリーダ／ライタ３０７とＲＦ−ＩＤ通信用アンテナ３０３Ａとの接続を行う。そして、ステップＳ７１２において、１番目のＲＦ−ＩＤタグへの電子情報の書き込み処理が実行される。
【００８１】
１番目のＲＦ−ＩＤタグへの電子情報の書き込み処理が開始されると、ステップＳ７１３では、ＲＦ−ＩＤタグへの電子情報の書き込み処理が正常終了したか否かが確認される。図８（ａ）の状態では、ＲＦ−ＩＤタグへの電子情報の書き込み処理を行っている最中にあるため、ステップＳ７１５へ進み、ＲＦ−ＩＤタグへの電子情報の書き込みが未終了状態である旨の情報を保存したうえで、ステップＳ７０６へ戻る。
【００８２】
ステップＳ７０６では、全てのＲＦ−ＩＤ通信用アンテナについて確認処理が終わったか否かを確認する。この時点では、まだＲＦ−ＩＤ通信用アンテナ３０３Ａのみであり、全てのＲＦ−ＩＤ通信用アンテナについて確認処理が終了していないため、再びステップＳ７０７に進む。
【００８３】
ステップＳ７０７では、次のＲＦ−ＩＤ通信用アンテナとして、ＲＦ−ＩＤ通信用アンテナ３０３Ｂが選択され、以降、当該ＲＦ−ＩＤ通信用アンテナについての確認処理が行われる。
【００８４】
ステップＳ７０８では、ＲＦ−ＩＤ通信用アンテナ３０３Ｂの通信範囲内に、ＲＦ−ＩＤタグが存在するか否かを確認する。図８（ａ）の状態の状態では、ＲＦ−ＩＤ通信用アンテナ３０３Ｂの通信範囲内に、ＲＦ−ＩＤタグは存在しないため、ステップＳ７０６へ戻る。
【００８５】
同様に、図８（ａ）の状態では、ＲＦ−ＩＤ通信用アンテナ３０３Ｃ、ＲＦ−ＩＤ通信用アンテナ３０３Ｄについても、その通信範囲内にＲＦ−ＩＤタグが存在しない。このため、ＲＦ−ＩＤ通信用アンテナ３０３Ｂと同様の処理が行われる。
【００８６】
ＲＦ−ＩＤ通信用アンテナ３０３Ｄまで確認処理が行われると、ステップＳ７０６では、すべてのＲＦ−ＩＤ通信用アンテナについて確認処理が終了したと判定されるため、ステップＳ７０５へ戻る。
【００８７】
その後、連続ラベル紙２００が図８（ｂ）の位置まで搬送されると、図９の９０１に示すように、ＲＦ−ＩＤ通信用アンテナ３０３Ａの通信範囲内で、電子情報の書き込み処理が正常終了したと判定される。この結果、ステップＳ７１３では、ＲＦ−ＩＤタグへの書き込み処理が正常終了したと判定される。
【００８８】
更に、ステップＳ７１４において、ＲＦ−ＩＤタグへの書き込み処理が正常終了した旨の情報を保存して、ステップＳ７０６へ戻る。
【００８９】
続いて、連続ラベル紙２００の搬送が進み、図８（ｃ）の状態になったとする。この時点で、ステップＳ７０５では、全ての電子情報についての書き込み処理が終了していないと判定されるため、ステップＳ７０６に進む。
【００９０】
ステップＳ７０６では、ＲＦ−ＩＤ通信用アンテナ３０３Ａから３０３Ｄについて、ステップＳ７０７〜ステップＳ７１０の確認処理を繰り返す。
【００９１】
まず、ステップＳ７０７においてＲＦ−ＩＤ通信用アンテナ３０３Ａが選択されると、ステップＳ７０８に進む。ここで、図８（ｃ）の状態では、２番目のＲＦ−ＩＤタグがＲＦ−ＩＤ通信用アンテナ３０３Ａの通信範囲内に存在するため、ステップＳ７０９へ進む。そして、ステップＳ７０９において、当該通信範囲内にあるＲＦ−ＩＤタグ（２番目のＲＦ−ＩＤタグ）への電子情報の書き込み処理が正常終了しているか否かを判定する。
【００９２】
２番目のＲＦ−ＩＤタグについては、まだ電子情報の書き込み処理を行っていないため、ステップＳ７１０へ進み、ＲＦ−ＩＤリーダ／ライタ３０７が使用中であるか否かを確認する。ＲＦ−ＩＤリーダ／ライタ３０７は未使用状態にあるため、ステップＳ７１１に進み、ＲＦ−ＩＤリーダ／ライタ３０７とＲＦ−ＩＤ通信用アンテナ３０３Ａとの接続を行う。更に、ステップＳ７１２において、ＲＦ−ＩＤ通信用アンテナ３０３Ａが、２番目のＲＦ−ＩＤタグに対して電子情報の書き込み処理を開始する。
【００９３】
２番目のＲＦ−ＩＤタグへの電子情報の書き込み処理が開始されると、ステップＳ７１３に進み、当該ＲＦ−ＩＤタグの書き込み処理が正常終了したか否かを確認する。現時点ではＲＦ−ＩＤタグへの電子情報の書き込み処理を行っている状態にあるため、ステップＳ７１５へ進み、ＲＦ−ＩＤタグへの書き込みが未終了状態である旨の情報を保存してステップＳ７０６へ戻る。ステップＳ７０６では、全てのＲＦ−ＩＤ通信用アンテナについての確認処理が完了していないと判定し、ステップＳ７０７に進む。ステップＳ７０７では、次のＲＦ−ＩＤ通信用アンテナとして、ＲＦ−ＩＤ通信用アンテナ３０３Ｂを選択し、ステップＳ７０８に進む。
【００９４】
ここで、図８（ｃ）の状態では、１番目のＲＦ−ＩＤタグがＲＦ−ＩＤ通信用アンテナ３０３Ｂの通信範囲内に存在するため、ステップＳ７０９へ進む。ステップＳ７０９では、通信範囲内にあるＲＦ−ＩＤタグ（１番目のＲＦ−ＩＤタグ）への電子情報の書き込み処理が正常終了しているか否かを判定する。
【００９５】
ここで、１番目のＲＦ−ＩＤタグへの電子情報の書き込み処理は既に正常終了しているため、ステップＳ７０６へ戻る。そしてステップＳ７０６では、全てのＲＦ−ＩＤ通信用アンテナについての確認処理が完了していないと判定し、ステップＳ７０７に進む。ステップＳ７０７では、次のＲＦ−ＩＤ通信用アンテナとして、ＲＦ−ＩＤ通信用アンテナ３０３Ｃが選択され、ステップＳ７０８に進む。
【００９６】
ここで、図８（ｃ）の状態では、ＲＦ−ＩＤ通信用アンテナ３０３Ｃの通信範囲には、ＲＦ−ＩＤタグは存在しないため、ステップＳ７０６へ戻る。
【００９７】
同様に、図８（ｃ）の状態では、ＲＦ−ＩＤ通信用アンテナ３０３Ｄについても、その通信範囲内にＲＦ−ＩＤタグが存在しないため、ＲＦ−ＩＤ通信用アンテナ３０３Ｃと同様の処理が行われる。
【００９８】
ＲＦ−ＩＤ通信用アンテナ３０３Ｄまで確認処理が行われると、ステップＳ７０６において、全てのＲＦ−ＩＤ通信用アンテナについて確認処理が終了したと判定され、ステップＳ７０５へ戻る。
【００９９】
続いて、連続ラベル紙２００が図８（ｄ）の位置まで搬送されると、図９の９０２に示すように、ＲＦ−ＩＤ通信用アンテナ３０３Ａの通信範囲内で２番目のＲＦ−ＩＤタグへの書き込み処理が正常終了する。この結果、ステップＳ７１３では、２番目のＲＦ−ＩＤタグへの書き込み処理が正常終了したと判定され、ステップＳ７１４へ進む。
【０１００】
ステップＳ７１４では、２番目のＲＦ−ＩＤタグへの書き込み処理が正常終了した旨の情報を保存して、再びステップＳ７０６へ戻る。
【０１０１】
以上の処理が、受信した記録コマンドに含まれる電子情報の分だけ繰り返される。受信した記録コマンドに含まれる全ての電子情報について書き込み処理が終了すると、ステップＳ７０５からステップＳ７１６へ進みラベル２０１の排出処理を行う。排出処理終了後は、図８（ｅ）の状態となり、ステップＳ７１７に進み搬送停止処理を行う。
【０１０２】
以上がＲＦ−ＩＤタグとの通信状況が良好である場合の、印刷処理及び書き込み処理の流れである。
【０１０３】
＜印刷処理及び書き込み処理の実施例２（通信エラーが発生した場合の実施例）＞
次に、図７に示す印刷処理及び書き込み処理の実施例について図１０及び図１１を用いて説明する。図１０及び図１１は、ＲＦ−ＩＤタグとの通信状況が不安定で、書き込みエラーが発生した場合の印刷処理及び書き込み処理の実施例である。なお、図１０及び図１１に示す印刷処理及び書き込み処理は、ラベル４枚分の画像データ及び電子情報を受信した場合を示している。
【０１０４】
記録装置１０１は、ステップＳ７０１において記録コマンドを受信すると、ステップＳ７０２に進み、連続ラベル紙２００の搬送を開始する。連続ラベル紙２００の搬送は、ステップＳ７０３において受信した記録コマンドに含まれる全ての画像データについての印刷処理が終了したと判断され、かつステップＳ７０５において全ての電子情報についての書き込み処理が終了したと判断されるまで行われる。
【０１０５】
このため、連続ラベル紙２００の搬送中は、ＲＦ−ＩＤ通信用アンテナによる確認処理及びＲＦ−ＩＤタグへの書き込み処理（ステップＳ７０７〜７１５）が繰り返されることとなる。
【０１０６】
ステップＳ７０７〜ステップＳ７１０の確認処理の実行中に、図１０（ａ）の位置まで搬送されたとする。このとき、図１１の１１０１に示すように、１番目のＲＦ−ＩＤタグがＲＦ−ＩＤ通信用アンテナ３０３Ａの通信範囲内で書き込み処理が終わらず、ステップＳ７１３において、書き込み処理が正常終了していないと判定されたとする。この場合、ステップＳ７１５では、ＲＦ−ＩＤタグへの書き込み処理が未終了状態である旨の情報を保存してステップＳ７０６へ戻る。
【０１０７】
ステップＳ７０６では、全てのＲＦ−ＩＤ通信用アンテナについて確認処理が完了していないと判定し、残りのＲＦ−ＩＤ通信用アンテナ（３０３Ｂ〜３０３Ｄ）についても確認処理（ステップＳ７０７〜Ｓ７１０）を行う。しかし、図１０（ａ）の状態では、ＲＦ−ＩＤ通信用アンテナ３０３Ｂ〜３０３Ｄの通信範囲内に、いずれのＲＦ−ＩＤタグも存在しない。このため、ステップＳ７０８からステップＳ７０６へ戻る処理が繰り返された後、再びステップＳ７０５に戻ることとなる。
【０１０８】
続いて、連続ラベル紙２００の搬送が進み、図１０（ｂ）の状態になったとする。この時点で、ステップＳ１０５では、全ての電子情報のＲＦ−ＩＤタグへの書き込み処理が終了していないと判定し、ステップＳ７０７に進む。ステップＳ７０７では、順次、ＲＦ−ＩＤ通信用アンテナ３０３Ａ〜３０３Ｄが選択され、確認処理が繰り返される。
【０１０９】
ＲＦ−ＩＤ通信用アンテナ３０３Ａの場合、図１０（ｂ）の状態では、２番目のＲＦ−ＩＤタグが通信範囲内に存在するため、ステップＳ７０９へ進む。そして、ステップＳ７０９において、通信範囲内にある当該２番目のＲＦ−ＩＤタグへの電子情報の書き込み処理が正常終了しているか否かを確認する。
【０１１０】
ここで２番目のＲＦ−ＩＤタグはまだ電子情報の書き込み処理を行っていないため、ステップＳ７１０へ進み、ＲＦ−ＩＤリーダ／ライタ３０７が使用中であるか否かを確認する。ＲＦ−ＩＤリーダ／ライタ３０７は未使用状態にあるので、ステップＳ７１１では、ＲＦ−ＩＤリーダ／ライタ３０７とＲＦ−ＩＤ通信用アンテナ３０３Ａとの接続を行う。更に、ステップＳ７１２では、ＲＦ−ＩＤ通信用アンテナ３０３Ａを介して２番目のＲＦ−ＩＤタグへの電子情報の書き込み処理を開始する。
【０１１１】
２番目のＲＦ−ＩＤタグへの電子情報の書き込み処理が開始されると、ステップＳ７１３では、当該ＲＦ−ＩＤタグの書き込み処理が正常終了したか否かを確認する。このとき、図１１の１１０２に示すように、ＲＦ−ＩＤ通信用アンテナ３０３Ａの通信範囲内で、２番目のＲＦ−ＩＤタグへの書き込み処理が正常終了したとする。この場合、ステップＳ７１４では、２番目のＲＦ−ＩＤタグへの書き込み処理が正常終了状態である旨の情報を保存してステップＳ７０６へ戻る。
【０１１２】
ステップＳ７０６では、全てのＲＦ−ＩＤ通信用アンテナについて確認処理が完了していないと判定し、ステップＳ７０７に進む。ステップＳ７０７では、次のＲＦ−ＩＤ通信用アンテナとして、ＲＦ−ＩＤ通信用アンテナ３０３Ｂを選択し、ステップＳ７０８に進む。
【０１１３】
ここで、図１０（ｂ）の状態では、１番目のＲＦ−ＩＤタグがＲＦ−ＩＤ通信用アンテナ３０３Ｂの通信範囲内に存在するため、ステップＳ７０９へ進む。そして、ステップＳ７０９において、通信範囲内にあるＲＦ−ＩＤタグ（１番目のＲＦ−ＩＤタグ）への電子情報の書き込み処理が正常終了しているか否かを確認する。
【０１１４】
ここで、ＲＦ−ＩＤ通信用アンテナ３０３Ａによる１番目のＲＦ−ＩＤタグへの電子情報の書き込み処理は失敗しており、１番目のＲＦ−ＩＤタグは書き込み処理が未終了状態にあるため、ステップＳ７１０へ進む。
【０１１５】
ステップＳ７１０ではＲＦ−ＩＤリーダ／ライタ３０７が使用中であるか確認する。この時点で、ＲＦ−ＩＤリーダ／ライタ３０７によるＲＦ−ＩＤ通信用アンテナ３０３Ａを介しての、２番目のＲＦ−ＩＤタグへの書き込み処理は完了しているため、ステップＳ７１１に進む。
【０１１６】
ステップＳ７１１では、ＲＦ−ＩＤリーダ／ライタ３０７とＲＦ−ＩＤ通信用アンテナ３０３Ｂとの接続を行い、ステップＳ７１２では、ＲＦ−ＩＤ通信用アンテナ３０３Ｂを介して、１番目のＲＦ−ＩＤタグへの電子情報の書き込み処理を開始する。
【０１１７】
１番目のＲＦ−ＩＤタグへの電子情報の書き込み処理が開始されると、ステップＳ７１３では、当該ＲＦ−ＩＤタグの書き込み処理が正常終了したか否かを確認する。この時点で、１番目のＲＦ−ＩＤタグへの電子情報の書き込み処理を行っている状態にあるため、ステップＳ７１５へ進み、ＲＦ−ＩＤタグへの書き込み処理が未終了状態である旨の情報を保存してステップＳ７０６へ戻る。
【０１１８】
ステップＳ７０６では、全てのＲＦ−ＩＤ通信用アンテナについての確認処理が完了していないと判定し、ステップＳ７０７に進む。
【０１１９】
ここで、残りのＲＦ−ＩＤ通信用アンテナ（３０３Ｃ、３０３Ｄ）についての確認処理は、いずれも、通信範囲内にＲＦ−ＩＤタグが存在しないと判定されるため、ステップＳ７０６に戻ることとなる。そして、ステップＳ７０６において、全てのＲＦ−ＩＤ通信用アンテナについて確認処理が完了したと判定されると、ステップＳ７０５に戻る。
【０１２０】
続いて、連続ラベル紙２００の搬送が進み、図１０（ｃ）の状態になったとする。この時点で、ステップＳ７０５では、全ての電子情報についての書き込み処理が終了していないと判定し、ステップＳ７０６に進む。
【０１２１】
ステップＳ７０６では、順次、ＲＦ−ＩＤ通信用アンテナ３０３Ａ〜３０３Ｄが選択され、確認処理が繰り返される。
【０１２２】
まず、ステップＳ７０７においてＲＦ−ＩＤ通信用アンテナ３０３Ａが選択されると、ステップＳ７０８に進む。ここで、図１０（ｃ）の状態では、図１１にある１１０２に示すように、ＲＦ−ＩＤ通信用アンテナ３０３Ａの通信範囲内で２番目のＲＦ−ＩＤタグについての書き込み処理が正常終了している。この結果、ステップＳ７０９では、ＲＦ−ＩＤタグへの書き込み処理が正常終了していると判定され、ステップＳ７０６へ戻る。
【０１２３】
ステップＳ７０６では、全てのＲＦ−ＩＤ通信用アンテナについての確認処理が完了していないと判定し、ステップＳ７０７に進む。ステップＳ７０７では、次のＲＦ−ＩＤ通信用アンテナとして、ＲＦ−ＩＤ通信用アンテナ３０３Ｂを選択し、ステップＳ７０８に進む。
【０１２４】
ここで、図１０（ｃ）の状態では、１番目のＲＦ−ＩＤタグがＲＦ−ＩＤ通信用アンテナ３０３Ｂの通信範囲内に存在するため、ステップＳ７０９へ進み、通信範囲内に存在するＲＦ−ＩＤタグへの書き込み処理が正常終了しているか否かを判定する。
【０１２５】
ここで、図１０（ｃ）の状態では、図１１の１１０３に示すように、ＲＦ−ＩＤ通信用アンテナ３０３Ａの通信範囲内で１番目のＲＦ−ＩＤタグへの書き込み処理が正常終了している。このため、ステップＳ７０９では、ＲＦ−ＩＤタグへの書き込み処理が正常終了していると判定され、ステップＳ７０６へ戻る。
【０１２６】
そして、残りのＲＦ−ＩＤ通信用アンテナ（３０３Ｃと３０３Ｄ）についても確認処理（ステップＳ７０７〜Ｓ７１０）を行うが、図１０（ｃ）の状態では、ＲＦ−ＩＤ通信用アンテナ３０３Ｃ〜３０３Ｄの通信範囲内に、いずれのＲＦ−ＩＤタグも存在しない。このため、ステップＳ７０８からステップＳ７０６へ戻る処理が繰り返された後、ステップＳ７０５に戻る。
【０１２７】
以上の処理が、受信した記録コマンドに含まれる電子情報の書き込み処理が終了するまで繰り返される（図１０（ｄ））。すべての電子情報の書き込み処理が終了すると、ステップＳ７０５からステップＳ７１６へ進み、ラベルの排出処理を行う。排出終了後は図１０（ｅ）の状態のようになり、ステップＳ７１７において、搬送停止処理を行う。
【０１２８】
以上がＲＦ−ＩＤタグとの通信状況が不安定な場合の、印刷処理及び書き込み処理の流れである。
【０１２９】
以上の説明から明らかなように、本実施形態では、１台のＲＦ−ＩＤリーダ／ライタに対して、搬送方向に配列した複数のＲＦ−ＩＤ通信用アンテナを接続する構成とした。そして、上流側のＲＦ−ＩＤ通信用アンテナが書き込み処理に失敗した場合に、下流側のＲＦ−ＩＤ通信用アンテナに切り替えて書き込み処理を行う構成とした。
【０１３０】
これにより、通信が不安定な状態であっても、書き込み処理のリトライが可能となり、全体のスループットを向上させることが可能となる。
【０１３１】
このように、本実施形態によれば、全体のスループットを向上させることが可能な構成を、安価に実現することが可能となる。
【０１３２】
［第２の実施形態］
上記第１の実施形態では、ＲＦ−ＩＤ通信用アンテナを複数配列し、切り替えて使用する構成とした。そして、１のＲＦ−ＩＤ通信用アンテナで書き込み処理が失敗した場合でも、搬送を停止させず、他のＲＦ−ＩＤ通信用アンテナで書き込み処理をリトライすることで、全体のスループットを向上させることとした。
【０１３３】
しかしながら、本発明はこれに限られず、書き込み処理の失敗を減らすために、書き込み処理時に、搬送を停止させる一方、停止させた際に、複数のＲＦ−ＩＤタグに対して書き込み処理することで、全体のスループットを向上させるようにしてもよい。
【０１３４】
この場合、搬送を停止させずに、書き込み処理を行う場合と比べ、書き込み処理の失敗が大幅に改善されるため、書き込みエラーに伴うスループットの低下を回避することができる。また、書き込み処理のために搬送を停止させた際に、複数のＲＦ−ＩＤタグに書き込みを行うため、１つのＲＦ−ＩＤタグに書き込み処理を行う従来の方法と比べ、１つのＲＦ−ＩＤタグあたりの書き込み処理のための停止時間を低減させることができる。これにより、全体のスループットを向上させることが可能となる。以下、本実施形態の詳細について説明する。
【０１３５】
＜印刷処理及び書き込み処理の流れ＞
図１２は、本実施形態にかかる記録装置１０１における印刷処理及び書き込み処理の流れを示すフローチャートである。
【０１３６】
ステップＳ１２０１では、ホスト１００から送信される記録コマンドを受信し、画像データはイメージバッファメモリ５０６Ｋ〜５０６Ｙに、その他の電子情報は、ＲＡＭ５１２に記憶する。ステップＳ１２０１での受信が終了すると、ステップＳ１２０２では、連続ラベル紙２００の搬送を開始する。
【０１３７】
ステップＳ１２０３では、搬送中の連続ラベル紙２００に仮着されたラベル２０１をＴＯＦセンサ３０４にて検出し、そのラベル２０１に対応した電子情報の有無を確認する。検出したラベル２０１に対応する電子情報がある場合は、ステップＳ１２０４に進み、検出したラベル数を更新する。
【０１３８】
ステップＳ１２０５では、最初に検出したラベルが、最下流に位置するＲＦ−ＩＤ通信用アンテナ（３０３Ｄ）の通信位置に到達したか否かを判定する。ステップＳ１２０５において、最下流に位置するＲＦ−ＩＤ通信用アンテナ（３０３Ｄ）の通信位置に到達していないと判定された場合には、ステップＳ１２０３に戻り、電子情報を受信したラベル数を更新する。
【０１３９】
最初に検出したラベルが、最下流に位置するＲＦ−ＩＤ通信用アンテナ（３０３Ｄ）の通信位置に到達すると、ステップＳ１２０６では、連続ラベル紙２００の搬送を停止する。
【０１４０】
ステップＳ１２０７では、検出したラベル数分のラベルのＲＦ−ＩＤタグに対し、電子情報を書き込む。この際、ＲＦ−ＩＤリーダ／ライタ３０７では、ＲＦ−ＩＤ通信用アンテナに対向する位置にあるそれぞれのラベルに対して、対応する電子情報を書き込む。このため、ＲＦ−ＩＤ通信用アンテナ切替回路５１３では、ＲＦ−ＩＤリーダ／ライタ３０７と接続するＲＦ−ＩＤアンテナを、順次、切り替える。
【０１４１】
電子情報の書き込み処理が完了すると、ステップＳ１２０８では、連続ラベル紙２００の搬送を再開し、ステップＳ１２０９では、ステップＳ１２０４で検出したラベル数分のラベルに対して印刷処理を行う。
【０１４２】
画像データの印刷処理が完了すると、ステップＳ１２１０では、連続ラベル紙２００の搬送を停止し、ステップＳ１２１１では、検出したラベル数分のラベルについて排出処理を行う。
【０１４３】
排出処理が完了すると、ステップＳ１２１２では、ＴＯＦセンサ３０４が配された位置（ラベル検出位置）まで搬送する。更に、ステップＳ１２１３では、全ての画像データについての印刷処理が完了し、かつ全ての電子情報についての書き込み処理が完了したか否かを判定する。
【０１４４】
ステップＳ１２１３において、印刷処理が完了していない画像データがあると判定された場合、または書き込み処理が完了していない電子情報があると判定された場合には、ステップＳ１２０３に戻る。
【０１４５】
一方、全ての画像データについての印刷処理が完了し、かつ全ての電子情報についての書き込み処理が完了したと判定された場合には、印刷処理及び書き込み処理を終了する。
【０１４６】
＜印刷処理及び書き込み処理の実施例＞
図１３は、図１２に示す印刷処理及び書き込み処理の実施例を示す図である。なお、図１３に示す印刷処理及び書き込み処理は、ラベル４枚分の画像データ及び電子情報を受信した場合を示している。
【０１４７】
図１３（ａ）の状態において、記録装置１０１が、記録コマンドを受信すると、ステップＳ１３０２に進み、連続ラベル紙２００の搬送を開始する。そして、先頭のラベルが最下流に位置するＲＦ−ＩＤ通信用アンテナ３０３Ｄの通信位置に到達すると、連続ラベル紙２００の搬送が停止される（図１３（ｂ）の状態）。
【０１４８】
図１３（ｂ）の状態において、ステップＳ１２０７では、ＲＦ−ＩＤタグに対して、順次、電子情報の書き込み処理を行う。
【０１４９】
電子情報の書き込み処理が終了すると、連続ラベル紙２００の搬送を再開し、印刷処理を行う（図１３（ｃ）の状態）。
【０１５０】
印刷処理が完了すると、排紙位置まで搬送される（図１３（ｄ）の状態）。排紙位置では、印刷処理及び書き込み処理が完了したラベルについて排紙処理が行われ、排紙処理が完了すると、連続ラベル紙２００は、ラベル検出位置まで搬送される（図１３の（ｅ）の状態）。
【０１５１】
以上の説明から明らかなように、本実施形態では、１台のＲＦ−ＩＤリーダ／ライタに対して、搬送方向に配列した複数のＲＦ−ＩＤ通信用アンテナを接続する構成とした。そして、搬送を停止させた状態で書き込み処理を行う一方、複数のＲＦ−ＩＤタグに対して書き込み処理を行う構成とした。
【０１５２】
これにより、１つのＲＦ−ＩＤタグあたりの書き込み処理のための停止時間を低減させることが可能となる。
【０１５３】
このように、本実施形態によれば、全体のスループットを向上させることが可能な構成を、安価に実現することが可能となった。
【０１５４】
［その他の実施形態］
本発明ではフルラインタイプのインクジェット方式の印刷装置に関する説明をしたが、インクジェット方式位階の記録ヘッドを持つプリンタ、すなわち感熱式、熱転写式、電子写真式等の他の記録方式、或いはモノクロの印刷装置にも適用することが可能である。
【０１５５】
なお、本発明は、複数の機器（例えばホストコンピュータ、インタフェース機器、リーダ、プリンタなど）から構成されるシステムに適用しても、一つの機器からなる装置（例えば、複写機、ファクシミリ装置など）に適用してもよい。
【０１５６】
また、本発明の目的は、前述した実施形態の機能を実現するソフトウェアのプログラムコードを記録したコンピュータ読取可能な記憶媒体を、システムあるいは装置に供給するよう構成することによっても達成されることはいうまでもない。この場合、そのシステムあるいは装置のコンピュータ（またはＣＰＵやＭＰＵ）が記憶媒体に格納されたプログラムコードを読出し実行することにより、上記機能が実現されることとなる。なお、この場合、そのプログラムコードを記憶した記憶媒体は本発明を構成することになる。
【０１５７】
プログラムコードを供給するための記憶媒体としては、例えば、フロッピ（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０１５８】
また、コンピュータが読出したプログラムコードを実行することにより、前述した実施形態の機能が実現される場合に限られない。例えば、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【０１５９】
さらに、記憶媒体から読出されたプログラムコードが、コンピュータに挿入された機能拡張ボードやコンピュータに接続された機能拡張ユニットに備わるメモリに書き込まれた後、前述した実施形態の機能が実現される場合も含まれる。つまり、プログラムコードがメモリに書き込まれた後、そのプログラムコードの指示に基づき、その機能拡張ボードや機能拡張ユニットに備わるＣＰＵなどが実際の処理の一部または全部を行い、その処理によって実現される場合も含まれる。
【図面の簡単な説明】
【０１６０】
【図１】本発明の第１の実施形態にかかるインクジェット方式に従うフルライン記録ヘッドを用いた記録装置１０１と、ホスト１００とを備える記録システムの構成図である。
【図２】連続ラベル紙２００の模式図である。
【図３】記録装置１０１の概略構成を示す断面図である。
【図４】記録ヘッド及びＲＦ−ＩＤ通信用アンテナを説明するための斜視図である。
【図５】記録装置１０１の制御構成を示すブロック図である。
【図６】ホスト１００から送信される種々の制御コマンドの構造を示した図である。
【図７】記録装置１０１における印刷処理及び書き込み処理の流れを示すフローチャートである。
【図８】ＲＦ−ＩＤタグとの通信状況が良好で書き込みエラーが発生していない場合の印刷処理及び書き込み処理の実施例を示す図である。
【図９】ＲＦ−ＩＤタグとの通信状況が良好で書き込みエラーが発生していない場合の印刷処理及び書き込み処理の実施例を示す図である。
【図１０】ＲＦ−ＩＤタグとの通信状況が不安定で、書き込みエラーが発生した場合の印刷処理及び書き込み処理の実施例を示す図である。
【図１１】ＲＦ−ＩＤタグとの通信状況が不安定で、書き込みエラーが発生した場合の印刷処理及び書き込み処理の実施例を示す図である。
【図１２】記録装置１０１における印刷処理及び書き込み処理の流れを示すフローチャートである。
【図１３】印刷処理及び書き込み処理の実施例を示す図である。
【符号の説明】
【０１６１】
１００  ホストコンピュータ
１０１  記録装置
１０２  給紙部
１０３  上部カバー
１０４  前カバー
１０５  電源スイッチ
１０６  操作パネル
１０７  プリンタケーブル
１０８  記録部
１０９  カッター部
１１０  ＬＥＤ
１１１  ＬＣＤ
１１２  ボタン
２００  連続ラベル紙
２０１  ラベル
２０２  ループアンテナ
２０３  ＩＣチップ
２０４  フィルム
２０５  ＲＦ−ＩＤタグ
【図１】
2010146203.tif 000003
【図２】
2010146203.tif 000004
【図３】
2010146203.tif 000005
【図４】
2010146203.tif 000006
【図５】
2010146203.tif 000007
【図６】
2010146203.tif 000008
【図７】
2010146203.tif 000009
【図８】
2010146203.tif 000010
【図９】
2010146203.tif 000011
【図１０】
2010146203.tif 000012
【図１１】
2010146203.tif 000013
【図１２】
2010146203.tif 000014
【図１３】
2010146203.tif 000015